(57)【要約】【課題】ファスニングテープ位置の認識性を損なうことなく、且つ紙おむつ着用の抵抗感を低減できる吸収性物品を提供する。【解決手段】背側部１６の両側方に延出して設けられる一対のサイドフラップ２０と、腹側部１５の裏面シート１０ｂに設けられたターゲット部３０と、を有する使い捨て紙おむつ１において、サイドフラップには、ファスニングテープ２２が設けられ、ターゲット部には、二色以上の色が配色されるとともに、そのうちの一色以上により所定のパターン３１ａが形成され、サイドフラップ部とファスニング部材には、ターゲット部に配色された色と同色の色が配色されるとともに、サイドフラップ部とファスニング部材とが異なる色とされている。【選択図】  図３
2004261354.tif 000002
【特許請求の範囲】
【請求項１】
透液性の表面シートと、不透液性の裏面シートと、前記表面シートと前記裏面シートとの間に腹側部から背側部にかけて介装される吸収体と、を備え、前記背側部の両側方に延出した一対のサイドフラップと、前記腹側部の前記裏面シートに設けられたターゲット部と、を有する吸収性物品において、
前記サイドフラップには、前記ターゲット部に係止させるためのファスニング部材が設けられ、
前記ターゲット部には、二色以上の色が配色されるとともに、そのうちの一色以上により所定のパターンが形成され、
前記サイドフラップ部とファスニング部材には、前記ターゲット部に配色された色と同色の色が配色されるとともに、前記サイドフラップ部とファスニング部材とが異なる色とされていることを特徴とする吸収性物品。
【請求項２】
前記ファスニング部材の大きさが前記パターンよりも大きくされていることを特徴とする請求項１に記載の吸収性物品。
【請求項３】
前記サイドフラップの色が、前記表面シートの色と異なることを特徴とする請求項１又は２に記載の吸収性物品。
【請求項４】
前記パターンにより、前記ターゲット部の長手方向に所定の間隔で、着用時の胴回り長さの目安となる目盛マークが設けられ、
前記目盛マークの色に、前記ファスニング部材に配色された色と同じ色が配色されていることを特徴とする請求項１〜３の何れか一項に記載の吸収性物品。
【請求項５】
前記パターンが、前記目盛マークと模様を含むものであることを特徴とする請求項４に記載の吸収性物品。
【請求項６】
前記目盛マークの幅が前記ファスニング部材の幅よりも小さいことを特徴とする請求項４又は５に記載の吸収性物品。
【発明の詳細な説明】
【０００１】
【発明の属する技術分野】
この発明は、使い捨て紙おむつ等の吸収性物品に関する。
【０００２】
【従来の技術】
従来、例えば、吸収性物品である使い捨て紙おむつ（以下、紙おむつという。）は、透液性の表面シートと、不透液性の裏面シートと、前記表面シートと前記裏面シートとの間に腹側部から背側部にかけて介装される吸収体とを有する。そして、特に展開式の紙おむつにおいて、背側の一対のサイドフラップ部にファスニングテープを設け、このファスニングテープを止着するためのターゲット部（補強テープ）を腹側に形成し、ファスニングテープをターゲット部に止着させて紙おむつを着用者に装着させる構造のものがある。
このような紙おむつでは、着用中にファスニングテープをターゲット部から外しやすいように、サイドフラップ部やファスニングテープの色にターゲット部の色と異なる色を配色していた（例えば、特許文献１）。
また、着用前に、紙おむつが畳まれた状態からサイドフラップを広げてファスニングテープを起こすときにもファスニングテープが見やすいように、サイドフラップと、ファスニングテープにも異なる色を配色していた。
【０００３】
【特許文献１】
特開平７−３２８０６９号公報
【０００４】
【発明が解決しようとする課題】
しかしながら、サイドフラップ部及びファスニングテープとターゲット部の色が異なると、着用した際、ターゲット部及びファスニングテープが目立つこととなって、紙おむつ着用に対する抵抗感が生じる一因となっていた。
【０００５】
そこで、本発明の課題は、ファスニングテープ位置の認識性を損なうことなく、且つ紙おむつ着用の抵抗感を低減できる吸収性物品を提供することである。
【０００６】
【課題を解決するための手段】
上記課題を解決するため、請求項１記載の発明は、図１〜図６に示すように、透液性の表面シート（１０ａ）と、不透液性の裏面シート（１０ｂ）と、前記表面シートと前記裏面シートとの間に腹側部（１５）から背側部（１６）にかけて介装される吸収体（１２）と、を備え、前記背側部の両側方に延出した一対のサイドフラップ（２０）と、前記腹側部の前記裏面シートに設けられたターゲット部（３０）と、を有する吸収性物品（例えば、使い捨て紙おむつ１）において、
前記サイドフラップには、前記ターゲット部に係止させるためのファスニング部材（例えば、ファスニングテープ２２）が設けられ、
前記ターゲット部には、二色以上の色が配色されるとともに、そのうちの一色以上により所定のパターン（３１ａ、３３）が形成され、
前記サイドフラップ部とファスニング部材には、前記ターゲット部に配色された色と同色の色が配色されるとともに、前記サイドフラップ部とファスニング部材とが異なる色とされていることを特徴とする。
【０００７】
ここで、サイドフラップには、裏面シートが延出したものと、別体のシート状部材を設けたサイドパネル型のものとが含まれる。
【０００８】
請求項１記載の発明によれば、ターゲット部には、二色以上の色が配色されるとともに、そのうちの一色以上により所定のパターンが形成され、サイドフラップ部とファスニング部材には、ターゲット部に配色された色と同色の色が配色されるとともに、サイドフラップ部とファスニング部材とが異なる色とされているので、ファスニング部材の認識性を損なうことなく、且つファスニング部材とターゲット部のパターンとの色の統一感が得られる。
加えて、サイドフラップに、ターゲット部に配色された色と同一の色が配色されているので、サイドフラップとターゲット部の色の統一感が得られる。
従って、ターゲット部にパターンを有しつつ、サイドフラップ及びファスニング部材とターゲット部との色彩の統一が図られることとなって、ファスニング部材の認識性を損なうことなく、吸収性物品の着用に対する抵抗感を低減することができる。
【０００９】
請求項２記載の発明は、請求項１記載の吸収性物品において、
前記ファスニング部材の大きさが前記パターンよりも大きくされていることを特徴とする。
【００１０】
請求項２記載の発明によれば、請求項１に記載の発明と同様の効果が得られることは無論のこと、特に、ファスニング部材の大きさが前記パターンよりも大きくされているので、更に、着用時にパターンとファスニング部材との識別が容易となる。従って、視力が弱い着用者でも容易に吸収性物品を着用することができる。
【００１１】
請求項３記載の発明は、請求項１又は２に記載の吸収性物品において、前記サイドフラップの色が、前記表面シートの色と異なることを特徴とする。
【００１２】
請求項３記載の発明によれば、請求項１又は２に記載の発明と同様の効果が得られることは無論のこと、特に、サイドフラップの色が表面シートの色と異なるので、サイドフラップが表面シート側に折り曲げられて梱包されたものを使用する際、表面シートとサイドフラップとの識別が容易となる。従って、夜間等、暗い場所で装着を行う場合や、視力が弱い使用者でも容易に吸収性物品を装着することができる。
【００１３】
請求項４記載の発明は、請求項１〜３の何れか一項に記載の吸収性物品において、
前記パターンが、前記ターゲット部の長手方向に所定の間隔で設けられ、着用時の胴回り長さの目安となる目盛マーク（例えば、目盛線３２）を有し、
前記目盛マークの色に、前記ファスニング部材に配色された色と同じ色が配色されていることを特徴とする。
【００１４】
請求項４記載の発明によれば、請求項１〜３の何れか一項に記載の発明と同様の効果が得られることは無論のこと、特に、パターンがターゲット部の長手方向に所定の間隔で設けられ、着用時の胴回り長さの目安となる目盛マークを有し、目盛マークの色に、ファスニング部材に配色された色と同じ色が配色されているので、目盛マークとパターンとターゲット部材との色の統一感が得られる。従って、目盛マークも模様の一部として違和感がないとともに、ファスニング部材のターゲット部への係止位置の目安が付きやすい吸収性物品を提供することができる。
【００１５】
請求項５記載の発明は、請求項４記載の吸収性物品において、
前記パターンが、前記目盛マークと模様を含むものであることを特徴とする。請求項５記載の発明によれば、請求項４に記載の発明と同様の効果が得られることは無論のこと、特に、パターンが目盛マークと模様を含むものであるので、吸収性物品の装飾性が向上して、更に紙おむつ着用に対する抵抗感を低減することができる。
【００１６】
請求項６記載の発明は、請求項４又は５に記載の吸収性物品において、
前記目盛マークの幅が前記ファスニング部材の幅よりも小さいことを特徴とする。
【００１７】
請求項６記載の発明によれば、請求項４又は５に記載の発明と同様の効果が得られることは無論のこと、特に、目盛マークの幅がファスニング部材の幅よりも小さいので、目盛マークとファスニング部材の止着位置とが重なった場合でもファスニング部材を容易に認識することができる。
【００１８】
【発明の実施の形態】
以下、本発明の実施の形態を、図面を参照しながら詳細に説明する。
本実施の形態では、吸収性物品として、特に、成人用の使い捨て紙おむつを一例として、以下で説明する。
【００１９】
図１は、本実施の形態における使い捨て紙おむつを、裏面シートを上面にして展開した平面展開図である。また、図２は、使い捨て紙おむつを、表面シートを上面にして展開した平面展開図である。更に、図３は、使い捨て紙おむつの装着時の状態に組立てた斜視図である。
【００２０】
図１〜図３に示すように、使い捨て紙おむつ（以下、紙おむつという。）１は、紙おむつ本体１０と、この紙おむつ本体１０を人体に装着するためのサイドフラップ２０、２０と、ターゲット部３０とを備えている。
【００２１】
紙おむつ本体１０は、人体との接触面側に設けられる透液性の不織布等からなる表面シート１０ａと、装着時に外部側に設けられる不透液性の裏面シート１０ｂと、表面シート１０ａと裏面シート１０ｂとの間に介装される吸収体１２と、表面シート１０ａ側の吸収体１２の両側部に、紙おむつ本体１０の長手方向に沿って備えられるギャザーシート１３、１３と、を備えている。
ここで、内側とは、紙おむつ１の幅方向の中央側をいい、外側とは、紙おむつ１の幅方向の中央から離れる側をいう。
【００２２】
紙おむつ本体１０は、人体の股部を腹側から背側にかけて覆うように、一方の端部に腹側部１５が形成され、他方の端部に背側部１６が形成されている。また、腹側部１５と背側部１６との間が股下部１７となっている。股下部１７の両縁部は、内側に凹むように形成され、装着された際に着用者の脚の周りを囲む脚開口部１８、１８となっている。
【００２３】
そして、紙おむつ本体１０の腹側部１５の端部１５１と、背側部１６の端部１６１とは、紙おむつ１が装着された際に、胴周りを形成するようになっている。特に、胴周りを形成する部分として、腹側部１５において股下部１７よりも両外側に延出した腹側延出部１５２、１５２と、背側部１６において股下部１７よりも両外側に延出した背側延出部１６２、１６２とが形成されている。また、背側部１６の背側延出部１６２、１６２の側縁部１６３、１６３には、それぞれ外側に突出したサイドフラップ２０、２０が設けられている。
【００２４】
また、背側部１６の長手方向の縁部１６４の中央部には、糸ゴム等の弾性部材１６４ａが幅方向に沿って設けられ、この弾性部材１６４ａにより平面ギャザー１６５が形成され、着用者の胴周りにフィットするように伸縮自在な構成となっている。
【００２５】
吸収体１２は、紙おむつ１の使用時に、体液としての尿等の水様成分を吸収するものであり、綿やパルプ等の吸収性素材や、繊維或いはフィルム等のシート状基材と、高吸水性樹脂とを組み合わせて形成される。吸収体１２は、腹側部１５から背側部１６に亘る長さに形成されている。また、吸収体１２の幅方向の長さは、股下部１７の形状に合わせて中央部１２ａが狭く、長手方向の腹側端部１２ｂ、背側端部１２ｃは、腹側部１５の腹側延出部１５２、背側部１６の背側延出部１６２の形状に合わせて、中央部１２ａよりも幅が広く形成されている。
【００２６】
ギャザーシート１３、１３は、表面シート１０ａ側に、股下部１７においては、吸収体１２の中央部１２ａを挟む幅方向の両側部に、腹側部１５の長手方向の縁部１５４から背側部１６の長手方向の縁部１６４に亘ってそれぞれ備えられている。
【００２７】
このギャザーシート１３、１３の幅方向外側の部分は、図４に示すように、裏面シート１０ｂの表面シート１０ａ側の面に固着されており、吸収体１２の側方で表面シート１０ａ側に周り込むようにして表面シート１０ａの上面に固着されている。そして、このギャザーシート１３の幅方向内側の部分は、表面シート１０ａに固定されておらず自由部１３１となっており、このギャザーシート１３により、断面略く字状及び逆く字状に立ち上がった立体ギャザーＧが形成される。
【００２８】
ギャザーシート１３の自由部１３１には、ギャザーシート１３の長手方向に沿って、複数の糸ゴム（弾性部材）１３ｃが略平行に備えられ、この糸ゴム１３ｃにより立体ギャザーシート１３は、着用者の体型に合わせて伸縮自在に変形し、着用者にフィットしやすい構造となっている。
【００２９】
サイドフラップ２０、２０は、例えば、不織布等で形成されており、背側部１６の延出部１６２、１６２の左右側方に突出するように備えられている。そして、サイドフラップ２０、２０の両側部は、更に外側に凸状に突出した凸部２１、２１が長手方向に各々２つづつ設けられている。凸部２１、２１には、それぞれ面ファスナの雄部材であるファスニング部材としてのファスニングテープ２２が取り付けられている。
【００３０】
ここで、ファスニングテープ２２がサイドフラップ２０の裏面に貼り付けられる場合には、サイドフラップ２０を透過して見える色を、着用時に視認されるファスニングテープ２２の色とする。一方、ファスニングテープ２２がサイドフラップ２０の表面に貼り付けられる場合には、ファスニングテープ２２を透過して見える色を、着用時に視認されるファスニングテープ２２の色とする。
【００３１】
そして、この４つのファスニングテープ２２…が、腹側部１５の裏面シート１０ｂ上に備えられている面ファスナの雌部材からなるターゲット部３０に係止するようになっている。
【００３２】
また、着用時に視認されるサイドフラップ２０、２０の色には、ファスニングテープ２２の色と異なる色が配色されている。具体的には、着用時に視認されるサイドフラップ２０、２０の色は、例えば、赤色とされ、同じく着用時に視認されるファスニングテープ２２の色は、例えば、白色とされている。
ここで、ファスニングテープ２２の色を白色としたのは、白色だと、光が反射して識別しやすいからである。
【００３３】
ターゲット部３０には、例えば、図５に示すように、二色の色が配色され、そのうちの一色（第一の色）に、着用時に視認されるファスニングテープ２２の色と同じ色が配色されている。そして、この第一の色により所定の繰り返しパターン３１ａ…により模様３１…（例えば、花柄）が形成されている。第一の色としては、具体的には、着用時に視認されるファスニングテープ２２が白色の場合、白色となる。
【００３４】
ファスニングテープ２２の大きさは、模様３１…の繰り返しパターン３１ａ…よりも大きくされている。具体的には、視認性を考慮すると、模様３１…の繰り返しパターン３１ａ…の縦横の各寸法のうち、少なくとも何れか一つが、ファスニングテープ２２の縦横の各寸法よりも５０％以下であることが望ましい。
このようにファスニングテープ２２の大きさは、模様３１…の繰り返しパターン３１ａ…よりも大きくされているので、同一色であってもファスニングテープ２２の識別が容易となっている。
【００３５】
また、ターゲット部３０には、パターンとして、その長手方向に所定の間隔で、着用時の胴回り長さの目安となる目盛線３２…（目盛マーク）が設けられ、この目盛線３２…の色にも、第一の色が配色されている。そして、図５に示すように、目盛線３２…の幅ａは、ファスニングテープ２２の幅ｂよりも小さく形成されており、ファスニングテープ２２のターゲット部３０の止着位置が目盛線３２と重なった場合でも、ファスニングテープ２２を容易に認識することができるようになっている。ここで、目盛線３２…の幅ａは、視認性を考慮すると、ファスニングテープ２２の幅ｂの５０％以下であることが望ましい。
【００３６】
更に、目盛線３２…の中には数字３３…が記されており、この数字３３…により着用時の胴回り長さの目安がより容易となる。この数字３３…の色には、第一の色と異なる第二の色が配色されている。
この第二の色には、着用時に視認されるサイドフラップ２０の色と同一の色が配色され、ターゲット部３０の模様３１と目盛り線３２…以外の色には、この第二の色が配色されている。具体的には、着用時に視認されるサイドフラップ２０が赤色の場合、第二の色も赤色となる。
【００３７】
また、図３に示すように、着用時に視認されるサイドフラップ２０の色は、表面シート１０ａの色と異なるようになっている。このようにした理由は、図６（ａ）に示すように、例えば、当該紙おむつの使用前、サイドフラップ２０が表面シート１０ａ側に折り曲げた状態で梱包される場合、サイドフラップ２０の色と表面シート１０ａの色が異なるので、表面シート１０ａとサイドフラップ２０との識別が容易となるからである。また、サイドフラップ２０を図６（ｂ）のように側方に展開すると、サイドフラップ２０とファスニングテープ２２との識別も容易となる。よって、夜間等の暗い場所で装着を行う場合や、視力の弱い人でも紙おむつ装着が容易となる。
【００３８】
また、図３に示すように、着用時に視認されるサイドフラップ２０の色は裏面シート１０ｂの色と異なるようになっている。このようにした理由は、紙おむつ着用の際、ファスニング２０と裏面シート１０ｂと異なるので、サイドフラップ２０と裏面シート１０ｂとの識別が容易となり、更に、サイドフラップ２０とファスニングテープ２２との識別が容易となる。従って、視力が弱い着用者でも容易に紙おむつを着用することができる。
【００３９】
以上説明した、本実施の形態による紙おむつ１によれば、ターゲット部３０には、第一の色により所定のパターンの模様３１…が形成され、着用時に視認されるファスニングテープ２２の色に、ターゲット部３０の色と同一の色が配色されるとともに、ファスニングテープ２２の大きさが模様３１…のパターン３１ａ…よりも大きくされているので、ファスニングテープ２２の認識性を損なうことなく、且つファスニングテープ２２と模様３１…のパターン３１ａ…との色の統一感が得られる。加えて、着用時に視認されるサイドフラップ２０の色に、ターゲット部３０に配色された色のうち、第一の色と異なる第二の色と同一の色が配色されているので、サイドフラップ２０とターゲット部３０の色の統一感が得られる。従って、ターゲット部３０に模様３１…を有しつつ、サイドフラップ２０及びファスニングテープ２２とターゲット部３０との色彩の統一が図られることとなって、ファスニングテープ２２の認識性を損なうことなく、紙おむつ１の着用に対する抵抗感を低減することができる。
【００４０】
尚、上記の実施の形態は、本発明を例示したに過ぎず、適宜変更可能である。例えば、サイドフラップ２０は、不織布の他、弾性部材、フィルム等から形成されていてもよい。また、サイドフラップ２０は、必ずしも表面シート１０ａ及び裏面シート１０ｂと別体である必要はなく、表面シート１０ａ或いは裏面シート１０ｂの一部をさらに背側部の側方に延出させて形成してもよい。
【００４１】
サイドフラップ２０は、透明な素材の下地に色のついたフィルムを付けて、着用時、素材を透過してフィルムの色が視認できるように構成されていてもよい。サイドフラップ２０の色は、表裏面とも第二の色になっていてもよいが、着用時に視認される側の面（即ち、裏面側）のみが第二の色になっていてもよい。
【００４２】
また、サイドフラップ２０にも、ターゲット部３０と同様の模様３１…のパターン３１ａ…を形成してもよい。このようにすることで、サイドフラップ２０とターゲット部３０の模様上の統一も図られ、より紙おむつ１に対する着用の抵抗感を低減することができる。
【００４３】
ファスニングテープ２２は、面ファスナの雄部材等の他、例えば、粘着テープ等であり、ターゲット部３０は粘着テープが着脱自在なフィルム等を備えている構造であってもよい。
ファスニングテープ２２の色は、表裏面とも第二の色になっていてもよいが、着用時に視認される側の面（即ち、裏面側）のみが第二の色になっていてもよい。
また、第一の色、第二の色は、任意であるが、目盛線３２の色である第一の色の場合、薄暗くても識別がしやすい白系色であることが望ましい。
【００４４】
ターゲット部３０の色は、２色に限らず、３色以上であってもよく、例えば模様パターン３１ａ、数字３３…は、第三の色であってもよい。
また、ターゲット部３０は、透明な素材の下地に色のついたフィルムを付けて、着用時、素材を透過してフィルムの色が視認できるように構成されていてもよい。
また、各部に着色する際には、蛍光染料や蓄光塗料を全部又は一部に使用してもよい。蛍光染料が蓄光塗料を用いることにより、暗い所でも蛍光染料が蓄光塗料を用いた部分がより視認し易くなる。
【００４５】
【発明の効果】
請求項１記載の発明によれば、ターゲット部には、二色以上の色が配色されるとともに、そのうちの一色以上により所定のパターンが形成され、サイドフラップ部とファスニング部材には、ターゲット部に配色された色と同色の色が配色されるとともに、サイドフラップ部とファスニング部材とが異なる色とされているので、ファスニング部材の認識性を損なうことなく、且つファスニング部材とターゲット部のパターンとの色の統一感が得られる。
加えて、サイドフラップに、ターゲット部に配色された色と同一の色が配色されているので、サイドフラップとターゲット部の色の統一感が得られる。
従って、ターゲット部にパターンを有しつつ、サイドフラップ及びファスニング部材とターゲット部との色彩の統一が図られることとなって、ファスニング部材の認識性を損なうことなく、吸収性物品の着用に対する抵抗感を低減することができる。
【００４６】
請求項２記載の発明によれば、請求項１に記載の発明と同様の効果が得られることは無論のこと、特に、ファスニング部材の大きさが前記パターンよりも大きくされているので、更に、着用時にパターンとファスニング部材との識別が容易となる。従って、視力が弱い着用者でも容易に吸収性物品を着用することができる。
【００４７】
請求項３記載の発明によれば、請求項１又は２に記載の発明と同様の効果が得られることは無論のこと、特に、サイドフラップの色が表面シートの色と異なるので、サイドフラップが表面シート側に折り曲げられて梱包されたものを使用する際、表面シートとサイドフラップとの識別が容易となる。従って、夜間等、暗い場所で装着を行う場合や、視力が弱い使用者でも容易に吸収性物品を装着することができる。
【００４８】
請求項４記載の発明によれば、請求項１〜３の何れか一項に記載の発明と同様の効果が得られることは無論のこと、特に、パターンがターゲット部の長手方向に所定の間隔で設けられ、着用時の胴回り長さの目安となる目盛マークを有し、目盛マークの色に、ファスニング部材に配色された色と同じ色が配色されているので、目盛マークとパターンとターゲット部材との色の統一感が得られる。従って、目盛マークも模様の一部として違和感がないとともに、ファスニング部材のターゲット部への係止位置の目安が付きやすい吸収性物品を提供することができる。
【００４９】
請求項５記載の発明によれば、請求項４に記載の発明と同様の効果が得られることは無論のこと、特に、パターンが目盛マークと模様を含むものであるので、吸収性物品の装飾性が向上して、更に紙おむつ着用に対する抵抗感を低減することができる。
【００５０】
請求項６記載の発明によれば、請求項４又は５に記載の発明と同様の効果が得られることは無論のこと、特に、目盛マークの幅がファスニング部材の幅よりも小さいので、目盛マークとファスニング部材の止着位置とが重なった場合でもファスニング部材を容易に認識することができる。
【図面の簡単な説明】
【図１】本実施の形態における使い捨て紙おむつを、裏面シートを上面にして展開した平面展開図である。
【図２】図１の使い捨て紙おむつを、表面シートを上面にして展開した平面展開図である。
【図３】図１の使い捨て紙おむつの装着時の状態に組立てた斜視図である。
【図４】図１のＡ−Ａ断面図である。
【図５】装着時の状態における装着部の拡大図である。
【図６】使用前のサイドフラップの形態を示した図である。
【符号の説明】
１  使い捨て紙おむつ（吸収性物品）
１０  紙おむつ本体
１０ａ  表面シート
１０ｂ  裏面シート
１２  吸収体
１５  腹側部
１６  背側部
２０  サイドフラップ
２１  凸部
２２  ファスニングテープ
３０  ターゲット部
３１  模様
３１ａ  パターン
３２    目盛線（目盛マーク）
【図１】
2004261354.tif 000003
【図２】
2004261354.tif 000004
【図３】
2004261354.tif 000005
【図４】
2004261354.tif 000006
【図５】
2004261354.tif 000007
【図６】
2004261354.tif 000008